(57)【要約】【課題】過給機の過給性能を向上させると共に過給機をコンパクトに纏めて配置し、更に過給機の取付け作業性を向上させること。【解決手段】排気マニホルド１に、その一つの排出口から排出された排気ガスが流れ、且つ複数の排気ポートに連通する各導入口から排出口までの排気流路とは別個独立に形成した排気通過孔１３ａを有する延設部１３を設け、その排気通過孔１３ａにおける排気ガスの上流側と下流側に過給機２，３を夫々配置すると共に、これら各過給機２，３の間に前記排気通過孔１３ａと連通し且つ当該上流側の過給機２から下流側の過給機３へと排気ガスを送る排気管４を配置し、前記下流側の過給機３と前記排気管４とを前記延設部１３に共締めする為の固定構造３，４，１３ｄ、Ｂ，Ｎを設けること。【選択図】        図１
2005120936.tif 000002
【特許請求の範囲】
【請求項１】
複数の気筒の夫々の排気ポートから排出された排気ガスを複数の導入口から導入し、該各導入口から導入された排気ガスを集合させて一つの排出口から排出する排気マニホルドと、該排気マニホルドから排出された排気ガスによって駆動される少なくとも二つの過給機と、を備えた内燃機関において、
前記排気マニホルドに、前記排出口から排出された排気ガスが流れ、且つ前記導入口から前記排出口までの排気流路とは別個独立の排気通過孔を有する延設部を設け、該排気通過孔における排気ガスの上流側と下流側に前記各過給機を夫々配置すると共に、該各過給機の間に前記排気通過孔と連通し且つ当該上流側から下流側の過給機へと排気ガスを送る排気管を配置し、
前記下流側の過給機と前記排気管とを前記延設部に共締めする為の固定構造を設けたことを特徴とする内燃機関。
【請求項２】
複数の気筒の夫々の排気ポートから排出された排気ガスを複数の導入口から導入し、該各導入口から導入された排気ガスを集合させて一つの排出口から排出する排気マニホルドと、該排気マニホルドから排出された排気ガスによって駆動される少なくとも二つの過給機と、を備えた内燃機関において、
前記排気マニホルドに、前記排出口から排出された排気ガスが流れ、且つ前記導入口から前記排出口までの排気流路とは別個独立の排気通過孔を設け、該排気通過孔における排気ガスの上流側と下流側に前記各過給機を夫々配置し、前記排気通過孔の上流側に、該排気通過孔と連通すると共に前記上流側から下流側の過給機へと排気ガスを送る排気管を一体的に設けたことを特徴とする内燃機関。
【発明の詳細な説明】
【技術分野】
【０００１】
本発明は、排気通路上に複数の過給機を直列に設けた内燃機関に関する。
【背景技術】
【０００２】
従来、内燃機関においては吸気側の充填効率を向上させる為に排気通路上に過給機を配置するという技術があり、その排気通路上に二つの過給機を直列に設けることで、その充填効率の更なる向上を図った内燃機関が存在する。例えば、この種の直列二段過給システムを備えた内燃機関としては、特開２００１−２８０１４２号公報や実開昭５９−２８６２９号公報に開示されたものがある。
【０００３】
先ず、上記特開２００１−２８０１４２号公報に開示された内燃機関は、排気マニホルドからの排気通路の上流側に高圧段の第一の過給機を配置し、更にこの第一の過給機の下流に低圧段の第二の過給機を配置したものである。
【０００４】
また、上記実開昭５９−２８６２９号公報に開示された内燃機関は、排気マニホルドからの排気通路の上流側から順に、高圧段の第一の過給機、低圧段の第二の過給機が配置され、この第二の過給機と各過給機のタービン間を連通させる排気管とが、排気マニホルドから延設された薄板のブラケットに取り付けられたものである。尚、本公報には言及されていないが、このブラケットは、長尺物たる排気管が内燃機関の回転振動により折損しないようにする為のものであり、第二の過給機の主たる固定部品ではない。これが為、実際には第二の過給機を主として固定する為の構造が少なくとも一つは用意されていなければならない。
【０００５】
【特許文献１】特開２００１−２８０１４２号公報
【特許文献２】実開昭５９−２８６２９号公報
【発明の開示】
【発明が解決しようとする課題】
【０００６】
しかしながら、直列二段過給システムにおいては、夫々の過給機の配置箇所如何によって過給性能が低下してしまう虞がある、という不都合があった。より具体的には、先ず、過給機（特に下流側の二段目の過給機）が排気マニホルドから離間した位置に配置されると、高温高圧の排気ガスがタービンに入る前に冷却されてしまい過給性能の低下を招来してしまう。次に、夫々の過給機の配置箇所によっては各過給機のタービン間を連通する排気管の経路が複雑且つ長くなり、二段目の過給機へと流入する排気ガスがその排気管を流れている間に冷却されて過給性能が低下してしまう。
【０００７】
また、一般に、内燃機関への過給機の搭載は、新型車の立ち上げ時だけでなく、その車輌の改良時（所謂マイナーチェンジの際）にも行われる。ここで、新型車の立ち上げ時においては、大型車輌と小型車輌の過給機搭載スペースの差異はあるが、ある程度は過給機やその排気管の配置箇所の自由度がある。その一方、改良時においては、内燃機関の周辺部品の配置箇所が既に確定しているので、既存の排気通路上に空きスペースが無ければ過給機の追加は困難である。また、たとえ新型車の立ち上げ時であっても、近年の車輌のエンジンコンパートメントには制御ユニット等多種多様な部品も配置されているので、上記の如く過給性能を鑑みた上での過給機やその排気管の好適な配置箇所が確実に得られるとは云い難い。特に、以上のことは、過給機を複数搭載しなければならない場合には顕著に表れる。
【０００８】
更に、過給機はその形状や構造が複雑である為、これを取り付ける際にはその取付け相手側（例えば上記実開昭５９−２８６２９号公報にあっては排気管側）からボルトやナットの締結作業を行わなければならない。これが為、上記ブラケットにおける第二の過給機及び排気管の取り付け箇所は、螺子孔や締結スペースを確保する為に広大なものにする必要がある。また、第一及び第二の過給機間の排気管の取り付けは、排気管自体の寸法・幾何公差のバラツキだけでなく、各過給機やこれらを固定する為のフランジやボルト等の寸法・幾何公差のバラツキの影響をも受けるので、夫々の部品を仮組み付けした後に本締め付けを行わなければならない。これらのことから、従来の直列二段過給システムの部品締結構造は、夫々の部品の取付け作業性に劣る、という不都合があった。
【０００９】
そこで、本発明は、かかる従来例の有する不都合を改善し、過給性能を低下させることなく複数の過給機を搭載し得る内燃機関を提供することを、その目的とする。また更に、本発明は、新型車の立ち上げ時や車輌の改良時等の車輌開発時期に影響されること無く複数の過給機をコンパクトに搭載し得る内燃機関を提供することを、その目的とする。そして更に、かかる内燃機関における過給機等の部品の取付け作業性の向上を、その目的とする。
【課題を解決するための手段】
【００１０】
上記目的を達成する為、請求項１記載の発明では、複数の気筒の夫々の排気ポートから排出された排気ガスを複数の導入口から導入し、これら各導入口から導入された排気ガスを集合させて一つの排出口から排出する排気マニホルドと、この排気マニホルドから排出された排気ガスによって駆動される少なくとも二つの過給機と、を備えた内燃機関において、前記排気マニホルドに、前記排出口から排出された排気ガスが流れ、且つ前記導入口から前記排出口までの排気流路とは別個独立の排気通過孔を有する延設部を設け、その排気通過孔における排気ガスの上流側と下流側に前記各過給機を夫々配置すると共に、これら各過給機の間に前記排気通過孔と連通し且つ当該上流側から下流側の過給機へと排気ガスを送る排気管を配置し、前記延設部に前記下流側の過給機と前記排気管とを共締め固定している。
【００１１】
上記目的を達成する為、請求項２記載の発明では、複数の気筒の夫々の排気ポートから排出された排気ガスを複数の導入口から導入し、これら各導入口から導入された排気ガスを集合させて一つの排出口から排出する排気マニホルドと、この排気マニホルドから排出された排気ガスによって駆動される少なくとも二つの過給機と、を備えた内燃機関において、前記排気マニホルドに、前記排出口から排出された排気ガスが流れ、且つ前記導入口から前記排出口までの排気流路とは別個独立の排気通過孔を設け、この排気通過孔における排気ガスの上流側と下流側に前記各過給機を夫々配置し、前記排気通過孔の上流側に、この排気通過孔と連通すると共に前記上流側から下流側の過給機へと排気ガスを送る排気管を一体的に設けている。
【発明の効果】
【００１２】
本発明に係る内燃機関によれば、過給機を排気マニホルドに近づけて配置することができる。これが為、本発明に係る内燃機関は、排気マニホルドから排出された高温高圧の排気ガスを排気マニホルドからの熱で高温に保ったまま過給機に供給することができるので、膨張した排気ガスにより過給性能を向上させることができる。
【００１３】
また、本発明に係る内燃機関は、過給機をコンパクトに纏めて排気マニホルドに配置することができるので、車体へ組み付ける際又は組み付け後の車体や他部品等への干渉を防ぐことができ、更に、過給機を搭載しない内燃機関と同等の車体への組付け作業性を確保することができる。これが為、新型車開発時であるかその改良時であるかに拘らず、如何なる開発時期において過給機の搭載計画が出たとしても、その搭載が可能になる。
【００１４】
更にまた、過給機と排気管の共締め構造や排気マニホルドと排気管の一体構造を採ることにより、部品点数を低減することができ、また、各部品の取付け作業性の向上やその作業工数の低減を図ることができる。
【発明を実施するための最良の形態】
【００１５】
本発明に係る内燃機関は、排気マニホルド１にその排気ガスの通路とは別個独立の排気ガス流路たる貫通孔（排気通過孔）を設け、この貫通孔の上流側と下流側に夫々過給機を配置し、更に過給機と排気管の共締め構造又は排気マニホルドと排気管の一体構造を採用したものである。以下に、本発明に係る内燃機関の実施例を図面に基づいて詳細に説明する。尚、この実施例によりこの発明が限定されるものではない。
【実施例１】
【００１６】
本発明に係る内燃機関の実施例１を図１から図３に基づいて説明する。ここで、本発明に係る内燃機関は複数の過給機を排気通路上で直列に配置したものであり、本実施例１にあっては、図１に示す如く、排気マニホルド１からの排気通路の上流側から順に、高圧段の第一の過給機２，低圧段の第二の過給機３を配置した二つの過給機を備える内燃機関について例示する。尚、本実施例１の直列二段過給システムは、低圧段の第二の過給機３で圧縮された空気を高圧段の第一の過給機２で更に圧縮して吸気マニホルド側へ送るものである。
【００１７】
本実施例１の内燃機関には、図２に示す如く、複数の気筒に連通する夫々の排気ポートから排出された排気ガスを導入する複数の排気管（本実施例１にあっては直列４気筒エンジンの四つの気筒に対応する四本の排気管）１１と、この排気管１１内を流れた排気ガスを集合させる排気管集合部１２とを有する排気マニホルド１が設けられている。
【００１８】
ここで、上記各排気管１１には、対応する気筒から排出された排気ガスを導入する導入口が夫々形成されており、上記排気管集合部１２には、集合させた排気ガスを下流に排出する排出口が形成されている。本実施例１にあっては内燃機関の下方に向けて開口された排出口を例示するが、必ずしもその方向に開口したものに限定するものではない。
【００１９】
また、本実施例１にあっては、上記の如き排気マニホルド１に上記第一及び第二の過給機２，３を固定する。以下に、その第一及び第二の過給機２，３の固定構造について詳述する。
【００２０】
最初に、本実施例１の排気管集合部１２の排出口には、上記高圧段の第一の過給機２を固定する為の第一過給機固定フランジ１２ａが形成される。
【００２１】
ここで、本実施例１にあっては、上記排出口の形状が第一の過給機２におけるタービンハウジング２１の排気ガス導入口の形状に合わせて形成されている。また、上記第一過給機固定フランジ１２ａの形状をそのタービンハウジング２１における排気ガス導入側の取付け部２１ａの形状に合わせて形成するが、その逆に、第一過給機固定フランジ１２ａの形状に合わせて第一の過給機２の取付け部２１ａを形成してもよい。
【００２２】
第一の過給機２は、そのタービンロータとコンプレッサホイールを繋ぐ回転軸が機関回転軸（クランク軸）と略平行になるように第一過給機固定フランジ１２ａにガスケットを介して配置し、ボルト及びナットで固定される。例えば、ここでは、図１に示す如く、タービンハウジング２１の取付け部２１ａに設けたスタッドボルトＢを、ガスケットを介して第一過給機固定フランジ１２ａの図２に示す貫通孔１２ａ1に挿通してナットＮで締め付ける。
【００２３】
尚、便宜上、図１においてはスタッドボルトＢ及びナットＮによる固定点を二箇所のみしか記載していないが、他にも固定点は存在する。このことは、後述する第二の過給機３や排気管４の固定点についても同様である。
【００２４】
このように、本実施例１にあっては、第一の過給機２をその回転軸が機関回転軸と略平行になるように配置しているので、内燃機関の振動による上記回転軸の偏心を抑制し、第一の過給機２の故障等を回避することができる。これが為、過給機は、その回転軸と機関回転軸とが略平行になるように配置することが好ましい。以上のことは、後述する第二の過給機３についても同様である。
【００２５】
尚、第一の過給機２を取り付けたことで内燃機関の振動等による排気マニホルド１の強度低下が懸念される場合には、ブラケット（図示略）等を介してシリンダヘッドやシリンダブロック等に第一の過給機２を固定することが好ましい。かかる場合、この第一の過給機２は既に排気マニホルド１に固定されているので、ブラケット等による固定点を少なくすることができる。そして、これにより部品点数の低減や第一の過給機２の取付け作業工数の低減が図れるので、原価低減効果をも奏することが可能になる。
【００２６】
また、この第一の過給機２のコンプレッサハウジング２２の空気導入側には、第二の過給機３で圧縮した空気を導入する為の配管（図示略）が取り付けられる一方、そのコンプレッサハウジング２２の空気排出側には、第一の過給機２で圧縮した空気を吸気マニホルド側に送り出す為の配管（図示略）がインタークーラ等を介して取り付けられている。
【００２７】
このようにして排気マニホルド１に第一の過給機２を取り付けることによって、排気マニホルド１の排出口から導入された高温高圧の排気ガスが温度低下することなく第一の過給機２のタービンを回転させるので、第二の過給機３で圧縮された空気を同軸上のコンプレッサにより更に圧縮してインタークーラ等を介して吸気マニホルド側へ送ることができる。
【００２８】
ここで、この第一の過給機２のタービンハウジング２１における排気ガス排出側の取付け部２１ｂには、この第一の過給機２から排出された排気ガスを第二の過給機３に導入する為の後述する排気管４がガスケットを介してボルト及びナットで取り付けられる。例えば、ここでは、図１に示す如く、タービンハウジング２１の排気ガス排出側の取付け部２１ｂに設けたスタッドボルトＢを、ガスケットを介して排気管４の排気ガス導入側の取付け部４ａに設けた貫通孔（図示略）に挿通してナットＮで締め付ける。
【００２９】
次に、本実施例１の排気マニホルド１には、上記低圧段の第二の過給機３を固定する為の図２に示す延設部１３が形成されている。ここで、この延設部１３は、排気マニホルド１と一体的に成型されている。
【００３０】
この延設部１３には排気マニホルド１の排気通路とは別個独立に内燃機関の上下方向に貫通させた図２に示す貫通孔（排気通過孔）１３ａが形成されており、この貫通孔１３ａを介して第一の過給機２から排出された排気ガスが第二の過給機３に導入される。ここで、この貫通孔１３ａは、第二の過給機３のタービンハウジング３１における排気ガス導入側の取付け部３１ａの開口形状と同形状に形成されている。
【００３１】
先ず、この延設部１３における貫通孔１３ａの上端側には第二の過給機３を固定する為の第二過給機取付け面１３ｂが形成されている。本実施例１にあっては、その第二過給機取付け面１３ｂの形状がタービンハウジング３１の取付け部３１ａの形状に合わせて形成される。
【００３２】
次に、この延設部１３における上記貫通孔１３ａの下端側には排気管４を固定する為の排気管取付け面１３ｃが形成されている。
【００３３】
ここで、図１に示す如く、本実施例１の第一の過給機２は車輌の左方に向けて排気ガスを排出し、第二の過給機３は内燃機関の下方から排気ガスを導入するように配置されている。これが為、本実施例１の排気管４としては、図１に示す如く、略Ｌ字状に成形されたものを用いる。
【００３４】
尚、その排気管４の形状は上述した略Ｌ字状に限定するものではない。但し、第一の過給機２と第二の過給機３とを繋ぐ排気管４の形状は、排気マニホルド１等の取付け作業性を損なわない範囲内で極力短い排気経路にすることが好ましい。これにより排気管４を流れる間の排気ガスの温度低下を抑制することができ、第二の過給機３に到達するまでの排気エネルギの損失を最小限に抑えることが可能になるので、排気エネルギを有効利用して過給性能の向上を図り、更に燃料消費量の改善をも図ることができる。
【００３５】
上記の如く形成された排気管４は、前述したが如く第一の過給機２に取り付けられる一方、ガスケットを介して延設部１３の排気管取付け面１３ｃにも取り付けられる。
【００３６】
ここで、本実施例１の延設部１３には、その第二過給機取付け面１３ｂから排気管取付け面１３ｃまで貫通させた図２に示す複数（ここでは四つ）の貫通孔１３ｄが形成されており、この貫通孔１３ｄを利用して第二の過給機３と排気管４とが延設部１３に共締めされる。
【００３７】
例えばここでは、図１に示す如く、第二の過給機３を、そのタービンロータとコンプレッサホイールを繋ぐ回転軸が機関回転軸（クランク軸）と略平行になるようガスケットを介して第二過給機取付け面１３ｂに載置する。その際、本実施例１の第二の過給機３におけるタービンハウジング３１の取付け部３１ａにはスタッドボルトＢが設けられているので、このスタッドボルトＢを延設部１３の貫通孔１３ｄに挿通する。また、そのスタッドボルトＢの排気管取付け面１３ｃから突出している部分を、ガスケットを介して排気管４の排気ガス排出側の取付け部４ｂに設けた貫通孔（図示略）に挿通してナットＮで締め付ける。
【００３８】
このように本実施例１の内燃機関においては、上記延設部１３の貫通孔１３ｄ，排気管４の貫通孔，第二の過給機３のスタッドボルトＢ及びナットＮが共締めする為の固定構造を成し、これにより第二の過給機３と排気管４を延設部１３に共締めすることができるので、夫々を別個にボルトとナットで固定していた従来のものと比して部品点数の低減、取付け作業性の向上やその作業工数の低減を図ることができる。そして、これにより製品原価の低減をも図ることができる。
【００３９】
また、この第二の過給機３のコンプレッサハウジング３２の空気導入側には、エアクリーナ側から送られてきた空気を導入する為の配管（図示略）が取り付けられる一方、そのコンプレッサハウジング３２の空気排出側には、第二の過給機３で圧縮した空気を第一の過給機２側に送り出す為の配管（図示略）が取り付けられている。尚、インタークーラは、前述した第一の過給機２の下流だけでなく、第二の過給機３と第一の過給機２の間にも設けられる場合がある。これが為、かかる場合における空気排出側の上記配管は、インタークーラを介して取り付けられる。
【００４０】
ここで、以上示した延設部１３は、前述したが如く第二の過給機３だけでなく排気管４も固定するので、内燃機関の回転振動等によって根元から折損する等の不具合が生じない
ようにする必要がある。そこで、本実施例１の延設部１３は、排気マニホルド１の中でも強度のある排気管集合部１２から延設する。尚、延設部１３の厚さ等は、固定される第二の過給機３等の重量を考慮した上で強度上好適なものを定めればよい。
【００４１】
また、延設部１３や排気マニホルド１の強度を確保する為に、ブラケット（図示略）等を介してシリンダヘッド等に第二の過給機３を固定してもよい。かかる場合、この第二の過給機３は既に排気マニホルド１に固定されているので、ブラケット等による固定点を少なくすることができる。そして、これにより部品点数の低減や第二の過給機３の取付け作業工数の低減が図れるので、原価低減効果をも奏することが可能になる。
【００４２】
以上の如くして排気マニホルド１の延設部１３に第二の過給機３と排気管４を取り付けることによって、第一の過給機２から排出された排気ガスが排気管４を通って第二の過給機３に導入され、これにより第二の過給機３のタービンを回動させて、エアクリーナ側から流入してきた空気を同軸上にあるコンプレッサで圧縮して第一の過給機２に送り出すことができる。
【００４３】
ここで、内燃機関は、傷や故障等の不具合の発生を防ぐ為に、第一及び第二の過給機２，３や排気管４等を車体や周辺部品に干渉させずに車体へと組み付ける必要がある。かかる干渉対策の為には、内燃機関を上方から見た際の投影面積を小さくすることが好ましく、これが為、その各過給機２，３等をできるだけ排気マニホルド１に近づけて配置する必要がある。
【００４４】
更に、過給性能の低下を抑制する為には、排気マニホルド１から排出された排気ガスを高温のまま各過給機２，３に流すことが好ましく、かかる観点からも、その各過給機２，３や排気管４等をできるだけ排気マニホルド１に近づけて雰囲気温度の高い場所に配置する必要がある。
【００４５】
そこで、本実施例１においては、上記に示した内燃機関の組付け作業性や過給性能を鑑みた上で、排気マニホルド１に近い位置，例えば、上方から見た排気マニホルド１の全体を囲む図３に示す矩形の延設部設置領域Ｒの範囲内に延設部１３を設ける。ここで、本実施例１の排気マニホルド１には排気管集合部１２の両側に空きスペースがあるので、図３に示す如く、延設部１３を排気管集合部１２の側面から車輌の左方（ここでは、内燃機関を横置きに搭載して後方排気とした車輌を想定している。）の空きスペースに向けて延ばし設けている。
【００４６】
尚、図３には排気マニホルド１の全体を囲む最小面積の矩形の延設部設置領域Ｒを例示しているが、この延設部設置領域Ｒは、必ずしもこれに限定するものではなく、例えばその矩形の延設部設置領域Ｒよりも大きな領域のものであってもよく、円形や楕円等の他の形状からなるものであってもよい。また、より有効に内燃機関の組付け作業性や過給性能を得る為には、第一及び第二の過給機２，３や排気管４等も上記延設部設置領域Ｒの範囲内に収めることが好ましい。
【００４７】
これにより、第二の過給機３と排気管４を排気マニホルド１に近づけて配置することができ、更に、前述したが如く第一の過給機２は排気管集合部１２に直接取り付けているので、これら第一及び第二の過給機２，３等を排気マニホルド１に対してコンパクトに纏めて配置することができる。そして、これが為、過給機が搭載された内燃機関であっても、過給機が搭載されない内燃機関と略同等の車輌への組付け作業性を確保することが可能になる。
【００４８】
ここで、このような第一及び第二の過給機２，３等をコンパクトに纏めた配置は、特に
車輌の改良時に過給機を追加する際に好適である。即ち、内燃機関を車体に組み付ける際に、その組付け軌跡において内燃機関とその周辺部品や車体との間に所定の隙間ができるように補器類や排気管等の配置や形状が決められるが、近年の車輌においてはエンジンコンパートメント内に様々な部品が配置されているので、その隙間にはあまり余裕が無い。かかる状況下において過給機を追加する場合、その隙間を確保しつつ、内燃機関組付け後の周辺部品との隙間をも確保しなければならないので、従来は過給性能を多少犠牲にせざるを得ない位置（排気マニホルド１から離間した位置）に過給機等を配置しなければならない場合があった。しかしながら、本実施例１にあっては、排気マニホルド１に対して第一及び第二の過給機２，３等をコンパクトに纏めて配置し、過給機の有無に依存することなく車体への組付け作業時の隙間と組付け後の隙間を確保することができるので、改良時に過給機を追加する際に有用なものとなる。
【００４９】
また、第一及び第二の過給機２，３及び排気管４を排気マニホルド１に近づけて配置しているので、第二の過給機３に至るまで排気マニホルド１から排出された高温高圧の排気ガスの温度低下を抑制することができる。特に、排気マニホルド１からの熱で排気管４の壁面温度が高温に保たれるので、高温を維持したまま第二の過給機３に排気ガスを流入させることができ、第二の過給機３へと流入する排気エネルギの有効利用が可能となる。これにより、過給性能を向上させることができ、更に燃料消費量の改善にも寄与することができる。
【００５０】
以上示した如く本実施例１の内燃機関によれば、第一及び第二の過給機２，３や排気管４等を排気マニホルド１にコンパクトに纏めて配置することができるので、車輌開発時期に拘らず内燃機関を車体に組み付ける際の車体等への干渉を防ぐことができ、その組付け作業性の向上を図り得る。また、排気マニホルド１から排出された高温高圧の排気ガスの温度低下を抑制することができ、過給性能の向上を図り得る。そして更に、第二の過給機３と排気管４を延設部１３に共締めするので、夫々の部品を別個にボルトとナットで固定していた従来のものと比して部品点数の低減、取付け作業性の向上やその作業工数の低減をも図ることができる。
【００５１】
尚、本実施例１にあっては、第一及び第二の過給機２，３の双方で過給を行うものとして例示したが、例えば第一及び第二の過給機２，３の間にバイパス用の弁や配管を設け、一方の過給機のみで過給するようにしてもよい。
【実施例２】
【００５２】
次に、本発明に係る内燃機関の実施例２を図４及び図５に基づいて説明する。
【００５３】
本実施例２の内燃機関は、前述した実施例１の内燃機関において、その排気マニホルド１と排気管４を一体的に成型したものである。即ち、この内燃機関は、図４及び図５に示す如く、実施例１と同様の排気ガスの流路たる貫通孔（図示略）とその上端側の第二過給機取付け面１１３ｂとを有する延設部１１３が排気管集合部１１２から延設され、更にその貫通孔の下端側に当該貫通孔と連通する実施例１と同様の形状からなる排気管１０４が一体的に成型された排気マニホルド１０１を具備するものである。
【００５４】
ここで、上記延設部１１３には、その第二過給機取付け面１１３ｂから排気管１０４側に向けて貫通させた低圧段の第二の過給機１０３を取り付ける為の図５に示す貫通孔１１３ｄが形成されている。
【００５５】
例えば本実施例２にあっては、図４に示す如く、第二の過給機１０３を、そのタービンロータとコンプレッサホイールを繋ぐ回転軸が機関回転軸（クランク軸）と略平行になるようガスケットを介して第二過給機取付け面１１３ｂに載置する。その際、本実施例２に
あっても第二の過給機１０３におけるタービンハウジング１３１の取付け部１３１ａにスタッドボルトＢが設けられているので、このスタッドボルトＢを延設部１１３の貫通孔１１３ｄに挿通する。そして、そのスタッドボルトＢにおける延設部１１３の排気管１０４側に突出している部分をナットＮで締め付ける。
【００５６】
また、高圧段の第一の過給機１０２は、実施例１と同様に、タービンロータとコンプレッサホイールを繋ぐ回転軸が機関回転軸（クランク軸）と略平行になるよう、そのタービンハウジング１２１の排気ガス導入側の取付け部１２１ａを排気管集合部１１２の第一過給機固定フランジ１１２ａにガスケットを介して固定し、そのタービンハウジング１２１の排気ガス排出側の取付け部１２１ｂを排気管１０４の排気ガス導入側の取付け部１０４ａにガスケットを介して固定する。
【００５７】
このように、本実施例２の内燃機関は、実施例１と同様に、第一及び第二の過給機１０２，１０３や排気管１０４等を排気マニホルド１０１にコンパクトに纏めて配置することができるので、車輌開発時期に拘らず内燃機関を車体に組み付ける際の車体等への干渉を防ぐことができ、その組付け作業性の向上を図り得る。また、排気マニホルド１０１から排出された高温高圧の排気ガスの温度低下を抑制することができ、過給性能の向上を図り得る。
【００５８】
更に、本実施例２の内燃機関は、延設部１１３に排気管１０４が一体的に設けられている。また、延設部１１３と排気管１０４を一体成型することにより、第一の過給機１０２を固定する為の第一過給機固定フランジ１１２ａと排気管１０４との間の寸法・幾何公差を小さくすることができる。このようなことから、前述した実施例１と比して更なる部品点数の低減が図れ、更に従来の如く各部品を仮組み付けせずとも本締め付けできるので、更なる取付け作業性の向上やその作業工数の低減をも図ることができる。
【００５９】
尚、以上示した各実施例１，２の排気マニホルド１，１０１においては、排気管集合部１２の排出口を内燃機関の下方に向け、延設部１３を車輌の左方に向けて延ばし設けているが、必ずしもかかる態様に限定するものではない。例えば、排出口が内燃機関の上方に向いたものであってもよく、延設部１３が排気管集合部１２の側面から車輌の右方等の空きスペースに向けて延設されたものであってもよい。
【産業上の利用可能性】
【００６０】
以上のように、本発明に係る内燃機関は、排気通路上に複数の過給機を直列に設ける際に有用であり、特に、過給性能の向上，車体への組付け作業性の確保，過給機や排気管の取付け作業性の向上を図るのに適している。
【図面の簡単な説明】
【００６１】
【図１】本発明に係る内燃機関の実施例１における排気マニホルドと第一及び第二の過給機を内燃機関の側面から見た図である。
【図２】本実施例１の排気マニホルドの斜視図である。
【図３】本実施例１の排気マニホルドを上方から見た図であって、延設部の設置領域を説明する為の説明図である。
【図４】本発明に係る内燃機関の実施例２における排気マニホルドと第一及び第二の過給機を内燃機関の側面から見た図である。
【図５】本実施例２の排気マニホルドの斜視図である。
【符号の説明】
【００６２】
１，１０１  排気マニホルド
２，１０２  第一の過給機
３，１０３  第二の過給機
４，１０４  排気管
１２，１１２  排気管集合部
１３，１１３  延設部
１３ａ  貫通孔（排気通過孔）
１３ｄ，１１３ｄ  貫通孔（第二の過給機取付孔）
【図１】
2005120936.tif 000003
【図２】
2005120936.tif 000004
【図３】
2005120936.tif 000005
【図４】
2005120936.tif 000006
【図５】
2005120936.tif 000007